(57)【要約】【課題】  ハウジングと下側ハウジングの不用意な離脱を防止し、出っ張りを少なくし、且つ、組込作業を容易化させることが可能なワイヤーハーネス用プロテクタを提供すること。【解決手段】  プロテクタの一方を構成する第１ハウジングと、プロテクタの他方を構成し上記第１ハウジングとの間にワイヤーハーネスを収容した状態で上記第１ハウジングに取り付けられる第２ハウジングと、上記第１ハウジングと第２ハウジングの何れか一方に設けられた係合爪体と、上記第１ハウジングと第２ハウジングの何れか他方に設けられ上記係合爪体が挿入されるとともに該挿入された係合爪体が係合する係合突起を内部に備えた係合凹部と、を具備したもの。【選択図】  図１
2008167601.tif 000002
【特許請求の範囲】
【請求項１】
プロテクタの一方を構成する第１ハウジングと、
プロテクタの他方を構成し上記第１ハウジングとの間にワイヤーハーネスを収容した状態で上記第１ハウジングに取り付けられる第２ハウジングと、
上記第１ハウジングと第２ハウジングの何れか一方に設けられた係合爪体と、
上記第１ハウジングと第２ハウジングの何れか他方に設けられ上記係合爪体が挿入されるとともに該挿入された係合爪体が係合する係合突起を内部に備えた係合凹部と、
を具備したことを特徴とするワイヤーハーネス用プロテクタ。
【請求項２】
請求項１記載のワイヤーハーネス用プロテクタにおいて、
上記係合爪体は上記第１ハウジングと第２ハウジングの何れか一方のハウジングの側壁の一部を切り欠いた箇所に側壁から外側に突出しない状態で設けられていることを特徴とするワイヤーハーネス用プロテクタ。
【請求項３】
請求項２記載のワイヤーハーネス用プロテクタにおいて、
上記係合凹部は上記第１ハウジングと第２ハウジングの何れか他方のハウジングの側壁の一部において側壁から外側に突出しない状態で設けられていて、第１ハウジングと第２ハウジングを係合・固定させた場合上記係合爪体と係合凹部との係合構造部が側壁より外側に突出しないように構成されていることを特徴とするワイヤーハーネス用プロテクタ。
【請求項４】
請求項１記載のワイヤーハーネス用プロテクタにおいて、
上記係合爪体の両側の側壁は第１係合壁となっていて、該第１係合壁が上記係合凹部を構成する外壁に係合することにより上記第１ハウジングと第２ハウジングの長手方向への移動を規制するように構成されていることを特徴とするワイヤーハーネス用プロテクタ。
【請求項５】
請求項４記載のワイヤーハーネス用プロテクタにおいて、
上記係合凹部の両の側壁は第２係合壁となっていて、該第２係合壁が上記第１係合壁に係合することにより上記第１ハウジングと第２ハウジングの幅方向への移動を規制するように構成されていることを特徴とするワイヤーハーネス用プロテクタ。
【請求項６】
請求項１記載のワイヤーハーネス用プロテクタにおいて、
上記係合爪体は上記係合凹部の係合突起に係合する係合開口部を備えた形状になっていて、その先端部はテーパ状に形成されていることを特徴とするワイヤーハーネス用プロテクタ。
【請求項７】
請求項１記載のワイヤーハーネス用プロテクタにおいて、
上記係合凹部は貫通孔を備えた形状になっていて、該貫通孔内に上記係合突起が設けられていることを特徴とするワイヤーハーネス用プロテクタ。
【発明の詳細な説明】
【技術分野】
【０００１】
本発明は、ワイヤーハーネスの外装に使用されるワイヤーハーネス用プロテクタに係り、特に、ワイヤーハーネスを構成している一対のハウジングが不用意に外れてしまうことを防止し、出っ張りをなくしてハーネスに対する不用意な引っ掛かりをなくし、例えば、組付作業を容易にすることができるように工夫したものに関する。
【背景技術】
【０００２】
例えば、各種車両においてワイヤーハーネスはプロテクタと称される外装部材の中に収容された状態で組み込まれている。この種のプロテクタは、一対のハウジングにより構成されている。これら一対のハウジングの間にワイヤーハーネスを収容した状態で係合・固定させる。その状態で車両の任意の場所に組み込まれることになる。
【０００３】
この種のプロテクタの構成を開示するとものとして、例えば、特許文献１、特許文献２、特許文献３、特許文献４等がある。
【特許文献１】特開２００２−７８１３５号公報
【特許文献２】特開２００３−１５８８０６号公報
【特許文献３】実開７−３０５２５号公報
【特許文献４】特開８−２９６６２１号公報
【発明の開示】
【発明が解決しようとする課題】
【０００４】
上記従来の構成によると次のような問題があった。
まず、一対のハウジングの係合・固定状態が不用意に外れてしまうという問題があった。通常この種の係合・固定構造は次のようになっている。まず、一方のハウジングに複数個の係合爪体が設けられていて、他方のハウジングに上記係合爪体に対応する位置に複数個の係合突起が突出・形成されている。そして、上記係合爪体を上記係合突起に係合させることにより一対のハウジングを係合・固定させるものである。そして、そのような状態で振動が付与されると、上記係合爪体と係合突起との係合か外れてしまうことがあり、それによって、一対のハウジングの係合・固定状態が外れてしまうことがあった。
又、別の問題として、一対のハウジングに出っ張りがあるために（上記係合爪体と係合突起による係合構造部が幅方向に突出・配置されている）、組み込み時にワイヤーハーネスが引っ掛かってしまい、それが原因して組み込み作業の作業性が低下してしまうという問題があった。
又、上記出っ張りが他の部品と干渉してしまうこともあり、それによっても組み込み作業の作業性が低下してしまうという問題があった。
【０００５】
本発明はこのような点に基づいてなされたものでその目的とするところは、一対のハウジングの不用意な離脱を防止して長期にわたって安定した状態を維持することができ、又、出っ張りを少なくして組み込み作業を容易化させることが可能なワイヤーハーネス用プロテクタを提供することにある。
【課題を解決するための手段】
【０００６】
上記目的を達成するべく本願発明の請求項１によるワイヤーハーネス用プロテクタは、プロテクタの一方を構成する第１ハウジングと、プロテクタの他方を構成し上記第１ハウジングとの間にワイヤーハーネスを収容した状態で上記第１ハウジングに取り付けられる第２ハウジングと、上記第１ハウジングと第２ハウジングの何れか一方に設けられた係合爪体と、上記第１ハウジングと第２ハウジングの何れか他方に設けられ上記係合爪体が挿入されるとともに該挿入された係合爪体が係合する係合突起を内部に備えた係合凹部と、を具備したことを特徴とするものである。
又、請求項２によるワイヤーハーネス用プロテクタは、請求項１記載のワイヤーハーネス用プロテクタにおいて、上記係合爪体は上記第１ハウジングと第２ハウジングの何れか一方のハウジングの側壁の一部を切り欠いた箇所に側壁から外側に突出しない状態で設けられていることを特徴とするものである。
又、請求項３によるワイヤーハーネス用プロテクタは、請求項２記載のワイヤーハーネス用プロテクタにおいて、上記係合凹部は上記第１ハウジングと第２ハウジングの何れか他方のハウジングの側壁の一部において側壁から外側に突出しない状態で設けられていて、第１ハウジングと第２ハウジングを係合・固定させた場合上記係合爪体と係合凹部との係合構造部が側壁より外側に突出しないように構成されていることを特徴とするものである。
又、請求項４によるワイヤーハーネス用プロテクタは、請求項１記載のワイヤーハーネス用プロテクタにおいて、上記係合爪体の両側の側壁は第１係合壁となっていて、該第１係合壁が上記係合凹部を構成する外壁に係合することにより上記第１ハウジングと第２ハウジングの長手方向への移動を規制するように構成されていることを特徴とするものである。
又、請求項５によるワイヤーハーネス用プロテクタは、請求項４記載のワイヤーハーネス用プロテクタにおいて、上記係合凹部の両の側壁は第２係合壁となっていて、該第２係合壁が上記第１係合壁に係合することにより上記第１ハウジングと第２ハウジングの幅方向への移動を規制するように構成されていることを特徴とするものである。
又、請求項６によるワイヤーハーネス用プロテクタは、請求項１記載のワイヤーハーネス用プロテクタにおいて、上記係合爪体は上記係合凹部の係合突起に係合する係合開口部を備えた形状になっていて、その先端部はテーパ状に形成されていることを特徴とするものである。
又、請求項７によるワイヤーハーネス用プロテクタは、請求項１記載のワイヤーハーネス用プロテクタにおいて、上記係合凹部は貫通孔を備えた形状になっていて、該貫通孔内に上記係合突起が設けられていることを特徴とするものである。
【発明の効果】
【０００７】
以上述べたように本願発明の請求項１によるワイヤーハーネス用プロテクタは、プロテクタの一方を構成する第１ハウジングと、プロテクタの他方を構成し上記第１ハウジングとの間にワイヤーハーネスを収容した状態で上記第１ハウジングに取り付けられる第２ハウジングと、上記第１ハウジングと第２ハウジングの何れか一方に設けられた係合爪体と、上記第１ハウジングと第２ハウジングの何れか他方に設けられ上記係合爪体が挿入されるとともに該挿入された係合爪体が係合する係合突起を内部に備えた係合凹部と、を具備した構成になっているので、まず、第１ハウジングと第２ハウジングとの不用意な離脱を防止することができる。これは第１ハウジングの係合爪体を第２ハウジングの係合凹部内に差し込んで、係合爪体を係合凹部の係合突起に係合させることにより、第１ハウジングと第２ハウジングを係合・固定させるように構成したからである。つまり、係合爪体と係合突起とからなる係合構造部が係合凹部内に収容された構成になっているので、外力等が作用しても容易に外れてしまうことがないからである。
又、請求項２によるワイヤーハーネス用プロテクタは、請求項１記載のワイヤーハーネス用プロテクタにおいて、上記係合爪体は上記第１ハウジングと第２ハウジングの何れか一方のハウジングの側壁の一部を切り欠いた箇所に側壁から外側に突出しない状態で設けられているので、組込時にワイヤーハーネスが引っ掛かったり、他の部品と干渉してしまうようなことはない。よって、組み込み作業の作業性を向上させることができる。
又、請求項３によるワイヤーハーネス用プロテクタは、請求項２記載のワイヤーハーネス用プロテクタにおいて、上記係合凹部は上記第１ハウジングと第２ハウジングの何れか他方のハウジングの側壁の一部において側壁から外側に突出しない状態で設けられていて、第１ハウジングと第２ハウジングを係合・固定させた場合上記係合爪体と係合凹部との係合構造部が側壁より外側に突出しないように構成されているので、組込時にワイヤーハーネスが引っ掛かったり、他の部品と干渉してしまうようなことはない。よって、組み込み作業の作業性を向上させることができる。
又、請求項４によるワイヤーハーネス用プロテクタは、請求項１記載のワイヤーハーネス用プロテクタにおいて、上記係合爪体の両側の側壁は第１係合壁となっていて、該第１係合壁が上記係合凹部を構成する外壁に係合することにより上記第１ハウジングと第２ハウジングの長手方向への移動を規制するように構成されているので、第１ハウジングの第１係合壁が第２ハウジングの係合凹部の外壁に対して係合し、それによって、第１ハウジングと第２ハウジングの長手方向への不用意な移動を規制するようにしているので、それによっても、第１ハウジングと第２ハウジングの係合・固定構造の不用意な離脱を防止することができる。
又、請求項５によるワイヤーハーネス用プロテクタは、請求項４記載のワイヤーハーネス用プロテクタにおいて、上記係合凹部の両の側壁は第２係合壁となっていて、該第２係合壁が上記第１係合壁に係合することにより上記第１ハウジングと第２ハウジングの幅方向への移動を規制するように構成されているので、第１ハウジングの第１係合壁が第２ハウジングの第２係合壁に対して係合し、それによって、第１ハウジングと第２ハウジングの幅方向への不用意な移動を規制するようにしているので、それによっても、第１ハウジングと第２ハウジングの係合・固定構造の不用意な離脱を防止することができる。
又、請求項６によるワイヤーハーネス用プロテクタは、請求項１記載のワイヤーハーネス用プロテクタにおいて、上記係合爪体は上記係合凹部の係合突起に係合する係合開口部を備えた形状になっていて、その先端部はテーパ状に形成されているので、係合凹部４１の貫通孔４３への差し込み作業も容易である。
又、請求項７によるワイヤーハーネス用プロテクタは、請求項１記載のワイヤーハーネス用プロテクタにおいて、上記係合凹部は貫通孔を備えた形状になっていて、該貫通孔内に上記係合突起が設けられているので、仮に、第１ハウジングの係合爪体の開口部と係合凹部の係合突起との係合関係を解除させたい場合には、貫通孔の反対側より図示しない治具を差し込むことにより行なうことができる。
【発明を実施するための最良の形態】
【０００８】
以下、図１乃至図２２を参照して本発明の一実施の形態を説明する。本実施の形態によるワイヤーハーネス用プロテクタ１は、図１４及び図１５に示すように、第１ハウジング３と第２ハウジング５とから構成されている。その内、まず、第１ハウジング３の構成から説明する。第１ハウジング３は、図１乃至図６に示すような構成になっている。まず、ハウジング本体７があり、このハウジング本体７は、図５及び図６に示すように、その横断面形状が略Ｕ字状をなしている。又、ハウジング本体７の長手方向両端には、本プロテクタを、例えば、エンジン等の構成部品の一部となる箇所へ配置・接続するための接続部９、１１が夫々設けられている。
【０００９】
上記ハウジング本体７は、図１及び図３に示すように、略Ｓ字状に湾曲・形成されていて、幅方向の両側には側壁１３、１５が夫々形成されている。上記側壁１３は、図２に示すように、複数箇所（この実施の形態の場合には５箇所）において切欠部１７が設けられていて、これら各切欠部１７には係合爪体１９が設けられている。この係合爪体１９は、図５及び図６に示すように、側壁１３の内側に配置されている。又、係合爪体１９には開口部２１が形成されている。又、上記係合爪体１９の先端部は、図６に示すように、先端に向かって徐々に薄肉になるようにテーパ状に形成されている。
【００１０】
上記側壁１５側においても、図４に示すように、複数箇所（この実施の形態の場合には３箇所）において切欠部１７が設けられていて、これら各切欠部１７には係合爪体１９が設けられている。この係合爪体１９は、図５及び図６に示すように、側壁１３の内側に配置されている。又、係合爪体１９には開口部２１が形成されている。又、上記係合爪体１９の先端部は、図６に示すように、先端に向かって徐々に薄肉になるようにテーパ状に形成されている。
【００１１】
上記側壁１３側において、図２乃至図４に示すように、上記複数個の係合爪体１９の間の側壁は第１係合壁２３となっている。同様に、上記側壁１５側において、上記複数個の係合爪体１９の間の側壁は第１係合壁２３となっている。又、図１に示すように、上記各係合爪体１９が設けられている位置には貫通孔２５が形成されている。
【００１２】
次に、第２ハウジング５の構成を説明する。図７乃至図１２に示すように、まず、ハウジング本体３１があり、このハウジング本体３１は、図１１及び図１２に示すように、その横断面形状が略Ｕ字状をなしている。又、ハウジング本体３１の長手方向両端には隣接・配置される別のワイヤーハーネス用プロテクタ１と連結するための連結部３３、３５が夫々設けられている。
【００１３】
上記ハウジング本体３１は、図７及び図９に示すように、略Ｓ字状に湾曲・形成されていて、長手方向に沿った左右両側には側壁３７、３９が夫々形成されている。上記側壁３７は複数箇所（この実施の形態の場合には５箇所）において係合凹部４１が設けられている。これら係合凹部４１は既に説明した第１ハウジング３側の係合爪体１９に対応する関係にある。上記係合凹部４１には貫通孔４３が形成されていて、この貫通孔４３の外側壁の内面には係合突起４５が形成されている。上記係合爪体１９は上記係合凹部４１の貫通孔４３内に挿入されることになり、又、開口部２１が上記係合突起４５に係合することになる。
【００１４】
上記側壁３９側についても同様の構成になっている。すなわち、複数箇所（この実施の形態の場合には３箇所）において係合凹部４１が設けられている。これら係合凹部４１は既に説明した第１ハウジング３側の係合爪体１９に対応する関係にある。上記係合凹部４１には貫通孔４３が形成されていて、この貫通孔４３の外側壁の内面には係合突起４５が形成されている。上記係合爪体１９は上記係合凹部４１の貫通孔４３内に挿入されることになり、又、開口部２１が上記係合突起４５に係合することになる。
【００１５】
又、上記側壁３７側において、複数個の係合凹部４１の間の側壁は第２係合壁５１となっている。同様に、上記側壁３９側においても複数個の係合凹部４１の間の側壁は第２係合壁５１となっている。これら第２側壁５１は、既に説明した第１ハウジング３側の第１側壁２３に対応する関係にある。すなわち、第１ハウジング３と第２ハウジング５を係合・固定することにより、上記第１係合壁２３が第２係合壁５１に対して外側から係合することになる。それによって、第１ハウジング３と第２ハウジング５との幅方向への不用意な移動を規制するものである。
【００１６】
又、第１ハウジング３と第２ハウジング５を係合・固定することにより、上記第１係合壁２３が係合凹部４１の外壁に対して長手方向に係合することになる。それによって、第１ハウジング３と第２ハウジング５との長手方向への不用意な移動を規制するものである。
【００１７】
以上の構成を基にその作用を説明する。まず、図１３乃至図１５に示すように、第１ハウジング３と第２ハウジング５とを合わせて係合・固定する。その際、第１ハウジング３と第２ハウジング５との間には図示しないワイヤーハーネスが収容されることになる。そして、第１ハウジング３の側壁１３側の複数個の係合爪体１９を第２ハウジング５の側壁３７の係合凹部４１の貫通孔４３内に差し込む。同様に、第１ハウジング３の側壁１５側の複数個の係合爪体１９を第２ハウジング５の側壁３９の係合凹部４１の貫通孔４３内に差し込む。それによって、各係合爪体１９の開口部２１が係合凹部４１の係合突起４５に係合することになる。そして、第１ハウジング３と第２ハウジング５とが係合・固定されることになる。第１ハウジング３と第２ハウジング５とが係合・固定された状態を図１６、図１７に示す。
【００１８】
上記第１ハウジング３と第２ハウジング５とが係合・固定された状態を詳しく説明する。まず、図１８をみてみると、第１ハウジング３の側壁１５の係合爪体１９が第２ハウジング５の側壁３９の係合凹部４１の貫通孔４３内に差し込まれていて、上記係合爪体１９の開口部２１が上記係合凹部４１の貫通孔４３の係合突起４５に係合している。同様に、図１９をみてみると、第１ハウジング３の側壁１３、１５の係合爪体１９が第２ハウジング５の側壁３７、３９の係合凹部４１の貫通孔４３内に差し込まれている。断面の位置の関係で係合爪体１９の開口部２１と係合凹部４１の貫通孔４３の係合突起４５の係合状態は表れていないが、図１８において説明した構造と同様に、各係合爪体１９の開口部２１が係合凹部４１の貫通孔４３の係合突起４５に係合しているものである。
【００１９】
以下、図２０、図２１、図２２に示すように、第１ハウジング３の側壁１３、１５の係合爪体１９が第２ハウジング５の側壁３７、３９の係合凹部４１の貫通孔４３内に差し込まれていて、各係合爪体１９の開口部２１が係合凹部４１の貫通孔４３の係合突起４５に係合しているものである。
【００２０】
又、第１ハウジング３の側壁３７、３９の第１係合壁２３が第２ハウジング５の側壁３７、３９の第２係合壁５１に対して係合している。それによって、第１ハウジング３と第２ハウジング５の幅方向への不用意な移動を規制している。
【００２１】
又、第１ハウジング３の側壁３７、３９の第１係合壁２３が第２ハウジング５の係合凹部４１の外壁に対して長手方向に沿って係合している。このような係合構造によって第１ハウジング３と第２ハウジング５との長手方向への不用意な移動を規制しているものである。
【００２２】
以上本実施の形態によると次のような効果を奏することができる。
まず、第１ハウジング３と第２ハウジング５との不用意な離脱を防止することができる。これは次のような理由による。まず、第１ハウジング３の係合爪体１９を第２ハウジング５の係合凹部４１内に差し込んで、係合爪体１９の開口部２１を係合凹部４１の貫通孔４３の係合突起４５に係合させることにより、第１ハウジング３と第２ハウジング５を係合・固定させるように構成したからである。つまり、係合構造部が係合凹部４１の貫通孔４３内に設けられているので、外力等が作用しても係合爪体１９の開口部２１と係合凹部４１の貫通孔４３の係合突起４５との係合が不用意に外れてしまうことがないからである。
又、第１ハウジング３の第１係合壁２３が第２ハウジング５の第２係合壁５１に対して係合し、それによって、第１ハウジング３と第２ハウジング５の幅方向への不用意な移動を規制するようにしているので、それによっても、第１ハウジング３と第２ハウジング５の係合・固定構造の不用意な離脱を防止することができる。
又、第１ハウジング３の第１係合壁２３が第２ハウジング５の係合凹部４１の外壁に対して係合し、それによって、第１ハウジング３と第２ハウジング５の長手方向への不用意な移動を規制するようにしているので、それによっても、第１ハウジング３と第２ハウジング５の係合・固定構造の不用意な離脱を防止することができる。
又、第２ハウジング５の係合凹部４１には貫通孔４３が形成されていて、そこに係合突起４５を設けているので、仮に、第１ハウジング３の係合爪体１９の開口部２１と係合凹部４１の係合突起４５との係合関係を解除させたい場合には、貫通孔４３の反対側より図示しない治具を差し込むことにより行なうことができる。
又、係合爪体１９先端部はテーパ状に形成されているので、係合凹部４１の貫通孔４３への差し込み作業も容易である。
又、第１ハウジング３と第２ハウジング５とを係合・固定させた状態では、幅方向に突出している部分は存在せず、よって、組込時にワイヤーハーネスが引っ掛かったり、他の部品と干渉してしまうようなことはない。よって、組み込み作業の作業性を向上させることができる。
【００２３】
尚、本発明は前記一実施の形態に限定されるものではない。
第１ハウジング３と第２ハウジング５の形状は任意であり、組み込まれる場所に応じて適切な形状とすればよい。
第１ハウジングと第２ハウジングの何れに係合爪体或いは係合凹部を設けるかについては任意に決定すればよい。又、第１ハウジングと第２ハウジングの両方に係合爪体と係合凹部を設ける構成も考えられる。
その他図示した構成はあくまで一例である。
【産業上の利用可能性】
【００２４】
本発明は、ワイヤーハーネスの外装に使用されるワイヤーハーネス用プロテクタに係り、特に、不用意に外れてしまうことを防止し、出っ張りをなくしてハーネスに対する不用意な引っ掛かりをなくし、組付作業を容易にすることができるように工夫したものに関し、例えば、各種車両に組み込まれるワイヤーハーネス用プロテクタとして或いは船外機等に組み込まれるワイヤーハーネス用プロテクタとして好適である。
【図面の簡単な説明】
【００２５】
【図１】本発明の一実施の形態を示す図で、プロテクタの第１ハウジングの構成を示す平面図である。
【図２】本発明の一実施の形態を示す図で、図１のＩＩ−ＩＩ矢視図である。
【図３】本発明の一実施の形態を示す図で、図２のＩＩＩ−ＩＩＩ矢視図である。
【図４】本発明の一実施の形態を示す図で、図３のＩＶ−ＩＶ矢視図である。
【図５】本発明の一実施の形態を示す図で、図１のＶ−Ｖ矢視図である。
【図６】本発明の一実施の形態を示す図で、図１のＶＩ−ＶＩ矢視図である。
【図７】本発明の一実施の形態を示す図で、プロテクタの第２ハウジングの構成を示す平面図である。
【図８】本発明の一実施の形態を示す図で、図７のＶＩＩＩ−ＶＩＩＩ矢視図である。
【図９】本発明の一実施の形態を示す図で、図８のＩＸ−ＩＸ矢視図である。
【図１０】本発明の一実施の形態を示す図で、図９のＸ−Ｘ矢視図である。
【図１１】本発明の一実施の形態を示す図で、図７のＸＩ−ＸＩ矢視図である。
【図１２】本発明の一実施の形態を示す図で、図７のＸＩＩ−ＸＩＩ矢視図である。
【図１３】本発明の一実施の形態を示す図で、プロテクタの第１ハウジングと第２ハウジングを係合・固定させる様子を示す平面図である。
【図１４】本発明の一実施の形態を示す図で、図１３のＸＩＶ−ＸＩＶ矢視図である。
【図１５】本発明の一実施の形態を示す図で、図１３のＸＶ−ＸＶ矢視図である。
【図１６】本発明の一実施の形態を示す図で、プロテクタの第１ハウジングと第２ハウジングを係合・固定させた様子を示す平面図である。
【図１７】本発明の一実施の形態を示す図で、図１６のＸＶＩＩ−ＸＶＩＩ矢視図である。
【図１８】本発明の一実施の形態を示す図で、図１７のＸＶＩＩＩ−ＸＶＩＩＩ断面図である。
【図１９】本発明の一実施の形態を示す図で、図１７のＸＩＸ−ＸＩＸ断面図である。
【図２０】本発明の一実施の形態を示す図で、図１７のＸＸ−ＸＸ断面図である。
【図２１】本発明の一実施の形態を示す図で、図１６のＸＸＩ−ＸＸＩ断面図である。
【図２２】本発明の一実施の形態を示す図で、図１６のＸＸＩＩ−ＸＸＩＩ断面図である。
【符号の説明】
【００２６】
１  ワイヤーハーネス用プロテクタ
３  第１ハウジング
５  第２ハウジング
７  ハウジング本体
９  接続部
１１  接続部
１３  側壁
１５  側壁
１９  係合爪体
２１  開口部
２３  第１係合壁  
３１  ハウジング本体
３３  連結部
３５  連結部
３７  側壁
３９  側壁
４１  係合凹部
４３  貫通孔
４５  係合突起
５１  第２係合壁
【図１】
2008167601.tif 000003
【図２】
2008167601.tif 000004
【図３】
2008167601.tif 000005
【図４】
2008167601.tif 000006
【図５】
2008167601.tif 000007
【図６】
2008167601.tif 000008
【図７】
2008167601.tif 000009
【図８】
2008167601.tif 000010
【図９】
2008167601.tif 000011
【図１０】
2008167601.tif 000012
【図１１】
2008167601.tif 000013
【図１２】
2008167601.tif 000014
【図１３】
2008167601.tif 000015
【図１４】
2008167601.tif 000016
【図１５】
2008167601.tif 000017
【図１６】
2008167601.tif 000018
【図１７】
2008167601.tif 000019
【図１８】
2008167601.tif 000020
【図１９】
2008167601.tif 000021
【図２０】
2008167601.tif 000022
【図２１】
2008167601.tif 000023
【図２２】
2008167601.tif 000024